(57)【要約】  【課題】スリープタイマ動作中のチャンネル切換を任意の時点で、かつ自動的に行えるようにする。  【解決手段】あらかじめ設定されたスリープタイマ時間が経過すると電源を自動的にオフにする機能を備えたテレビジョン装置１００において、リモコンＲによりスリープタイマ時間が設定された後、一定時間以内にリモコンＲのチャンネルキーが押された場合に、そのチャンネルキーに対応するチャンネルへ切り換えるまでの切換時間を設定するための設定画面をモニタ５に表示する。この設定画面で切換時間が設定されると、スリープタイマ時間が経過するまでの間、設定された切換時間に至った時点でチャンネルが自動的に切り換えられる。【選択図】  図１
2006238389.tif 000002
【特許請求の範囲】
【請求項１】
放送信号から所定チャンネルの信号を取り出すチューナと、
前記チューナで取り出された信号を処理する信号処理部と、
前記信号処理部で処理された映像信号に基づいて映像を表示するモニタと、
前記信号処理部で処理された音声信号に基づいて音声を出力するスピーカと、
リモコンで設定されたスリープタイマ時間が経過すると電源を自動的にオフにする電源制御手段と、
を備えたテレビジョン装置において、
前記リモコンでスリープタイマ時間が設定された後、一定時間以内にチャンネルキーが押されたか否かを判定する第１の判定手段と、
前記第１の判定手段が前記一定時間以内にチャンネルキーが押されたことを判定した場合に、当該チャンネルへ切り換えるまでの切換時間を設定するための設定画面を前記モニタに表示させ、前記設定画面で切換時間が設定された後、他のチャンネルキーが押された場合に、当該他のチャンネルへ切り換えるまでの切換時間を設定するための新たな設定画面を前記モニタに表示させる表示制御手段と、
前記設定画面で設定された切換時間が前記スリープタイマ時間の範囲内であるか否かを判定する第２の判定手段と、
前記第２の判定手段で前記切換時間が前記スリープタイマ時間の範囲内であると判定され、かつ、前記設定画面での切換時間の設定が完了した場合に、前記スリープタイマ時間が経過するまでの間、前記設定された切換時間に至るたびにチャンネルを自動的に切り換えるチャンネル切換手段と、
を設けたことを特徴とするテレビジョン装置。
【請求項２】
放送信号から所定チャンネルの信号を取り出すチューナと、
前記チューナで取り出された信号を処理する信号処理部と、
前記信号処理部で処理された映像信号に基づいて映像を表示するモニタと、
前記信号処理部で処理された音声信号に基づいて音声を出力するスピーカと、
あらかじめ設定されたタイマ時間が経過すると電源を自動的にオフにする電源制御手段と、
を備えたテレビジョン装置において、
前記タイマ時間が設定された後、一定時間以内にチャンネルキーが押された場合に、当該チャンネルへ切り換えるまでの切換時間を設定するための設定画面を前記モニタに表示し、
前記タイマ時間が経過するまでの間、前記設定された切換時間に至るとチャンネルを自動的に切り換えるようにしたことを特徴とするテレビジョン装置。
【請求項３】
請求項２に記載のテレビジョン装置において、
前記設定画面で切換時間を設定した後、他のチャンネルキーを押すと、当該他のチャンネルへ切り換えるまでの切換時間を設定するための新たな設定画面が前記モニタに表示されることを特徴とするテレビジョン装置。
【請求項４】
請求項３に記載のテレビジョン装置において、
前記設定画面において設定された切換時間が前記タイマ時間の範囲内であり、かつ、前記設定画面での切換時間の設定が完了した場合に、前記設定された切換時間に至るたびにチャンネルを自動的に切り換える動作を実行することを特徴とするテレビジョン装置。
【請求項５】
放送信号から所定チャンネルの信号を取り出すチューナと、
前記チューナで取り出された信号を処理する信号処理部と、
前記信号処理部で処理された映像信号に基づいて映像を表示するモニタと、
前記信号処理部で処理された音声信号に基づいて音声を出力するスピーカと、
あらかじめ設定されたタイマ時間が経過すると電源を自動的にオフにする電源制御手段と、
を備えたテレビジョン装置において、
前記タイマ時間が設定された後、他のチャンネルへ切り換えるまでの切換時間を設定するための設定画面を前記モニタに表示し、
前記タイマ時間が経過するまでの間、前記設定された切換時間に至るとチャンネルを自動的に切り換えるようにしたことを特徴とするテレビジョン装置。
【請求項６】
請求項２または請求項５に記載のテレビジョン装置において、
所定のチャンネルへ切り換えるまでの切換時間に加えて、あらかじめセットされた映像記録媒体による映像再生へ切り換えるまでの切換時間を前記設定画面で設定できるようにしたことを特徴とするテレビジョン装置。
【発明の詳細な説明】
【技術分野】
【０００１】
本発明は、あらかじめ設定されたタイマ時間が経過すると電源を自動的にオフにする機能を備えたテレビジョン装置に関する。
【背景技術】
【０００２】
テレビジョン装置には、スリープタイマ機能を有するものがある。スリープタイマ機能は、テレビを視聴しながら就寝する場合に、テレビの電源が入ったまま眠ってしまっても、所定時間が経過すると自動的に電源をオフにする機能である。電源がオフになるまでのスリープタイマ時間は、リモコンで設定することができる。例えば、リモコンに設けられているスリープキーを１回押すとスリープタイマ時間が１０分に設定され、２回押すと２０分に設定され、３回押すと３０分に設定されるようになっている。
【０００３】
このようなスリープタイマ機能を備えたテレビジョン装置において、スリープタイマ動作中は、電源が切れるまで現在視聴中のチャンネルの番組が放映されるが、時間帯によってはスリープタイマ動作の途中で現在視聴中の番組が終了することがあり、番組終了以降は他のチャンネルに切り換え、そのチャンネルの番組を視聴しながら就寝したい場合がある。また、番組が終了しなくても、途中から他の番組へ切り換えたい場合もある。図１６は、その一例を示したタイムチャートである。この例では、時刻Ｔ１でスリープタイマ時間を３０分に設定した後、１０分が経過した時刻Ｔ２において現在視聴中の２ＣＨ（ＣＨはチャンネルの略。以下同様。）の番組が終了するため、時刻Ｔ２でチャンネルを６ＣＨに切り換えて、残りの２０分は６ＣＨの番組を視聴し、スリープタイマ時間の３０分が経過した時刻Ｔ３で電源が自動的にオフとなる。しかしながら、この場合、時刻Ｔ２においてチャンネルを２ＣＨから６ＣＨに切り換えるには、リモコンを操作して手動で切り換える必要があるため、視聴者にとっては煩わしいばかりでなく、睡眠が妨げられるという問題がある。
【０００４】
一方、下記の特許文献１には、設定時刻になると電源がオフするスリープタイマ機能を備えたテレビジョン装置において、スリープタイマ時間が経過するまでにテレビ放送が終了した場合に、他のチャンネルに切り換えたり、ビデオテープを再生したりすることが記載されている。また、特許文献２には、設定時刻になると電源がオンするオンタイマ機能を備えたテレビジョン装置において、電源がオンした際に、あらかじめ選択したチャンネルの受信電波がない場合、ビデオテープを再生したり、他の受信可能なチャンネルの受信電波を受信したりすることが記載されている。しかしながら、特許文献１では、テレビ放送の終了が検出されない限り、チャンネル切換やビデオテープ再生が行われないため、視聴者はスリープタイマ動作中のチャンネル切換を行う時点を任意に選択することができない。特許文献２のものは、スリープタイマ機能とは逆のオンタイマ機能をもった装置であり、電源がオンした時点でしかチャンネル切換やビデオテープ再生が行われないため、同様に、視聴者はスリープタイマ動作中のチャンネル切換を行う時点を任意に選択することができない。
【特許文献１】特開２００２−２８１４１５号公報
【特許文献２】特開２００３−４６８８１号公報
【発明の開示】
【発明が解決しようとする課題】
【０００５】
上述したように、従来のテレビジョン装置にあっては、スリープタイマ動作中のチャンネル切換を手動で行わねばならないため、操作が煩雑であることに加えて睡眠が妨げられるという問題があり、また、特許文献１および特許文献２の技術では、スリープタイマ動作中のチャンネル切換時点を任意に選択することができないという問題があった。
【０００６】
本発明は、上述した課題を解決するものであって、その目的とするところは、スリープタイマ動作中のチャンネル切換を任意の時点で、かつ自動的に行えるようにしたテレビジョン装置を提供することにある。
【課題を解決するための手段】
【０００７】
本発明は、放送信号から所定チャンネルの信号を取り出すチューナと、チューナで取り出された信号を処理する信号処理部と、信号処理部で処理された映像信号に基づいて映像を表示するモニタと、信号処理部で処理された音声信号に基づいて音声を出力するスピーカと、あらかじめ設定されたタイマ時間が経過すると電源を自動的にオフにする電源制御手段とを備えたテレビジョン装置において、タイマ時間が設定された後、一定時間以内にチャンネルキーが押された場合に、当該チャンネルへ切り換えるまでの切換時間を設定するための設定画面をモニタに表示し、タイマ時間が経過するまでの間、設定された切換時間に至るとチャンネルを自動的に切り換えるようにしたものである。
【０００８】
本発明においては、タイマ時間の設定後、一定時間以内にチャンネルキーを押すと、切換時間の設定画面がモニタに表示される。そして、この設定画面で、押したチャンネルキーに対応するチャンネルへ切り換えるまでの切換時間を設定すると、タイマ時間が経過するまでの間、設定された切換時間に至った時点でチャンネルが自動的に切り換えられる。したがって、スリープタイマ動作中にチャンネルの切り換えをしたい場合でも、いちいち手動で切り換える必要がなく、設定画面で設定した任意の時点でチャンネルを自動的に切り換えることができるので、視聴者は煩雑さと睡眠妨害から解放される。また、切り換えたいチャンネルに対応するチャンネルキーを押すだけで切換時間の設定画面が表示されるので、操作がいたって簡単で分かりやすいという利点がある。
【０００９】
また、本発明では、設定画面で切換時間を設定した後、他のチャンネルキーを押すと、当該他のチャンネルへ切り換えるまでの切換時間を設定するための新たな設定画面がモニタに表示される。これによると、チャンネルキーを複数回操作して複数の切換時間を設定することで、スリープタイマ動作中に複数回のチャンネル切換を自動的に行うことができる。
【００１０】
また、本発明では、設定画面において設定された切換時間がタイマ時間の範囲内であり、かつ、設定画面での切換時間の設定が完了した場合に、設定された切換時間に至るたびにチャンネルを自動的に切り換える動作が実行される。これにより、チャンネルの切り換えは、必ず、設定したタイマ時間の範囲内で行われ、タイマ時間を超えてチャンネル切換が行われるような設定がされた場合には、警告を発することができる。
【００１１】
本発明においては、タイマ時間が設定された後、他のチャンネルへ切り換えるまでの切換時間を設定するための設定画面を前記モニタに表示し、タイマ時間が経過するまでの間、設定された切換時間に至るとチャンネルを自動的に切り換えるようにしてもよい。この場合は、タイマ時間の設定後にモニタに表示される設定画面で切換時間を設定すると、タイマ時間が経過するまでの間、設定された切換時間に至った時点でチャンネルが自動的に切り換えられる。したがって、スリープタイマ動作中にチャンネルの切り換えをしたい場合でも、いちいち手動で切り換える必要がなく、設定画面で設定した任意の時点でチャンネルを自動的に切り換えることができるので、視聴者は煩雑さと睡眠妨害から解放される。また、設定画面において複数の切換時間の設定を一度に行えるので、複数回のチャンネル切換をしたい場合に有効である。
【００１２】
さらに、本発明においては、所定のチャンネルへ切り換えるまでの切換時間に加えて、あらかじめセットされた映像記録媒体（例えば、ＤＶＤやビデオテープ）による映像再生へ切り換えるまでの切換時間を設定画面で設定できるようにしてもよい。これによると、スリープタイマ動作中に、すべてのチャンネルの放送が終了するような場合でも、映像記録媒体の映像へ切り換えて視聴を継続することができる。
【発明の効果】
【００１３】
本発明によれば、スリープタイマ動作中のチャンネル切換を任意の時点で、しかも自動的に行うことができるので、手動でチャンネルを切り換える必要がなく、視聴者は操作の煩雑さや睡眠の妨げから解放される。
【発明を実施するための最良の形態】
【００１４】
図１は、本発明に係るテレビジョン装置（以下、「テレビ」という。）１００の一例を示すブロック図であって、この図１の構成は、以下に説明する各実施形態に共通のものである。１は放送信号を受信するアンテナ、２はアンテナ１が受信した放送信号から所定チャンネルの信号を取り出すチューナである。３はチューナ２で取り出された信号を処理する信号処理部、４は信号処理部３から出力される映像信号に基づいてＣＲＴ（陰極線管）５を駆動するための信号を生成するＣＲＴ駆動回路、５は映像を表示するモニタとしてのＣＲＴ、６は信号処理部３で処理された音声信号に対して検波や増幅などの処理を行う音声回路、７は音声回路６の出力に基づいて音声を出力するスピーカである。
【００１５】
８はテレビ１００の動作を制御するマイクロコンピュータ（以下、「マイコン」という。）である。本発明における電源制御手段、第１の判定手段、第２の判定手段、表示制御手段およびチャンネル切換手段の各機能は、このマイコン８によって実現される。９はテレビ１００の電源のオン・オフを制御する電源制御回路であって、マイコン８とともに本発明における電源制御手段を構成する。１０は時間を計数するタイマ、１１はＲＯＭやＲＡＭ等から構成される記憶手段としてのメモリ、１２はテレビ１００のフロントパネルに設けられる操作部、１３はリモコンＲから送信される信号を受信するリモコン受信部である。
【００１６】
また、図１のテレビ１００は、ＤＶＤ（Digital Versatile Disk）・ＶＣＲ（Video Cassette Recorder）一体型のテレビであって、ＤＶＤ記録再生部を含むＤＶＤブロック２０と、ビデオテープ記録再生部を含むＶＣＲブロック３０とを備えている。２１はＤＶＤブロック２０により記録再生が行われるＤＶＤ、３１はＶＣＲブロック３０により記録再生が行われるビデオテープである。ＤＶＤ２１とビデオテープ３１とは、本発明における映像記録媒体を構成する。
【００１７】
図２は、リモコンＲの一例を示した外観図である。この図２の構成も、以下に説明する各実施形態に共通のものである。５１は後述するスリープタイマ時間を設定するためのスリープキー、５２はチャンネルを設定するためのチャンネルキー、５３は設定を確定するための決定キーである。リモコンＲには、これら以外にも各種のキーが設けられているが、本発明には直接関係しないことから、他のキーの説明は省略する。
【００１８】
図３は、スリープタイマ動作とその間のチャンネル切換を説明するためのタイムチャートである。この例は、時刻Ｔ１でスリープタイマ時間を３０分に設定した後、１０分が経過した時刻Ｔ３において現在視聴中の２ＣＨから６ＣＨに切り換え、残りの２０分は６ＣＨの番組を視聴し、スリープタイマ時間の３０分が経過した時刻Ｔ４で電源が自動的にオフとなる例である。また、図４は、上記動作を行う場合のリモコンＲにおけるキーシーケンスを示している。以下、順を追って説明する。
【００１９】
まず、時刻Ｔ１でスリープタイマ時間を３０分に設定するには、図４に示したように、リモコンＲのスリープキー５１を３回押す。スリープキー５１を１回押すごとに、スリープタイマ時間は１０分づつ加算されるようになっているので、スリープキー５１を３回押すことで、３０分のスリープタイマ時間が設定される。
【００２０】
次に、上記のようにしてスリープタイマ時間を設定した後（すなわち、スリープキー５１を３回目に押した後）、図３に示すｔ秒以内にチャンネルキー５２の「６」を押す。このときのｔ秒は、あらかじめ定められた値であって、例えば２〜３秒程度に設定されている。この時間内に時刻Ｔ２でチャンネルキー「６」が押されると、ＣＲＴ５の画面に、図５Ａに示すような設定画面５ａが表示される。この設定画面５ａは、現在視聴中の２ＣＨからチャンネルキー「６」で指定された６ＣＨへの切り換えを何分後に行うかを設定するための画面である。６ＣＨへ切り換えるまでの時間が切換時間となる。図３の場合は、６ＣＨへの切換時間は１０分であるので、設定画面５ａの切換時間の設定欄には「１０」が入力される。チャンネルキー５２は数字キーでもあるので、この切換時間の入力はチャンネルキー５２を利用して行うことができる。最後に、決定キー５３を押すことにより、切換時間の設定が完了する。なお、チャンネル切換をしない通常のスリープ動作を行うつもりが、スリープタイマ時間を設定した後、誤ってｔ秒以内にチャンネルキー５２を押してしまった場合は、図５Ｂ（ａ）に示すように、切換時間として「０」を設定する。これにより、チャンネル切換を取り消すことができる。また、図５Ｂ（ｂ）に示すように、設定画面５ａにキャンセルボタンＣＢを表示して、このキャンセルボタンＣＢをリモコンＲで選択することで、チャンネル切換を取り消せるようにしてもよい。
【００２１】
上記のようにしてスリープタイマ時間と切換時間の設定が行われると、スリープタイマ動作に入り、タイマ１０（図１）の計数する時間が切換時間（１０分）と等しくなる時刻Ｔ３に至ると、チャンネルが２ＣＨから６ＣＨへ自動的に切り換わって、以後の２０分間は６ＣＨの番組が放送される。そして、タイマ１０の計数する時間がスリープタイマ時間（３０分）と等しくなる時刻Ｔ４に至ると、電源が自動的にオフとなって、テレビ１００は非動作状態となる。
【００２２】
図３では、スリープタイマ動作中に１回チャンネルが切り換わるだけであったが、スリープタイマ動作中に複数回チャンネルを切り換えることもできる。図６は、その場合のチャンネル切換を説明するためのタイムチャートである。この例は、時刻Ｔ１でスリープタイマ時間を５０分に設定した後、１０分が経過した時刻Ｔ３において現在視聴中の２ＣＨから６ＣＨに切り換え、６ＣＨの番組を２０分視聴した後の時刻Ｔ４において６ＣＨから８ＣＨに切り換え、残りの２０分は８ＣＨの番組を視聴し、スリープタイマ時間の５０分が経過した時刻Ｔ５で電源が自動的にオフとなる例である。また、図７は、上記動作を行う場合のリモコンＲにおけるキーシーケンスを示している。以下、順を追って説明する。
【００２３】
まず、時刻Ｔ１でスリープタイマ時間を５０分に設定するには、図７に示したように、リモコンＲのスリープキー５１を５回押す。前述のように、スリープキー５１を１回押すごとに、スリープタイマ時間は１０分づつ加算されるようになっているので、スリープキー５１を５回押すことで、５０分のスリープタイマ時間が設定される。
【００２４】
次に、上記のようにしてスリープタイマ時間を設定した後（すなわち、スリープキー５１を５回目に押した後）、図６に示すｔ秒以内にチャンネルキー５２の「６」を押す。前述のように、ｔ秒はあらかじめ定められた値であって、例えば２〜３秒程度に設定されている。この時間内に時刻Ｔ２でチャンネルキー「６」が押されると、ＣＲＴ５の画面に、図８Ａ（ａ）に示すような２ＣＨから６ＣＨへの切換時間を設定するための設定画面５ａが表示される。この設定画面５ａは、図５Ａの設定画面５ａと同じものである。図６の場合は、６ＣＨへの切換時間は１０分であるので、設定画面５ａの切換時間の設定欄に「１０」が入力される。この切換時間の入力は、前述のようにチャンネルキー５２を利用して行うことができる。こうして６ＣＨへの切換時間を入力した後、図７のように、引き続いてチャンネルキー５２の「８」を押す。すると、ＣＲＴ５の画面に、図８Ａ（ｂ）に示すような６ＣＨから８ＣＨへの切換時間を設定するための新たな設定画面５ｂが表示される。図６の場合は、８ＣＨへの切換時間は、２ＣＨの放送時間１０分と６ＣＨの放送時間２０分とを合計した３０分となるので、設定画面５ｂの切換時間の設定欄には「３０」が入力される。最後に、決定キー５３を押すことにより、各切換時間の設定が完了する。この例においても、チャンネル切換をしない通常のスリープ動作を行うつもりが、スリープタイマ時間を設定した後、誤ってｔ秒以内にチャンネルキー５２を押してしまった場合は、図８Ｂ（ａ）に示すように、切換時間として「０」を設定する。これにより、チャンネル切換を取り消すことができる。また、図８Ｂ（ｂ）に示すように、設定画面５ａにキャンセルボタンＣＢを表示して、このキャンセルボタンＣＢをリモコンＲで選択することで、チャンネル切換を取り消せるようにしてもよい。
【００２５】
上記のようにしてスリープタイマ時間と切換時間の設定が行われると、スリープタイマ動作に入り、タイマ１０（図１）の計数する時間が最初の切換時間（１０分）と等しくなる時刻Ｔ３に至ると、チャンネルが２ＣＨから６ＣＨへ自動的に切り換わって、以後の２０分間は６ＣＨの番組が放送される。また、タイマ１０の計数する時間が次の切換時間（３０分）と等しくなる時刻Ｔ４に至ると、チャンネルが６ＣＨから８ＣＨへ自動的に切り換わって、以後の２０分間は８ＣＨの番組が放送される。そして、タイマ１０の計数する時間がスリープタイマ時間（５０分）と等しくなる時刻Ｔ５に至ると、電源が自動的にオフとなって、テレビ１００は非動作状態となる。
【００２６】
図９は、以上述べたスリープタイマ動作の一連の手順を示したフローチャートである。この手順は、マイコン８がメモリ１１に格納されているプログラムに従って実行する。スリープキー５１が押されるたびにリモコンＲから送信される信号がリモコン受信部１３で受信されると、マイコン８は、スリープキー５１の操作回数に応じたスリープタイマ時間をメモリ１１に設定する（ステップＳ１）。続いて、このスリープタイマ時間の設定後、ｔ秒以内にチャンネルキー５２が押されたか否かを判定する（ステップＳ２）。ｔ秒以内にチャンネルキー５２が押されなければ（ステップＳ２：ＮＯ）、ステップＳ３の通常のスリープ動作（チャンネル固定）へ移る。
【００２７】
図１０は、上記ステップＳ３の具体的な手順を示したフローチャートである。通常のスリープ動作では、タイマ１０の計数する時間が、メモリ１１に設定されたスリープタイマ時間に達したか否かを判定し（ステップＳ２１）、スリープタイマ時間に達した時点で、マイコン８は電源制御回路９に指令を与えて、電源をオフさせる（ステップＳ２２）。
【００２８】
一方、スリープタイマ時間の設定後、ｔ秒以内にチャンネルキー５２が押された場合は（ステップＳ２：ＹＥＳ）、ステップＳ４以降の手順へ移行する。ステップＳ４では、図５Ａや図８Ａ（ａ）で示したような切換時間の設定画面５ａをＣＲＴ５の画面に表示する。そして、この画面５ａにおいて切換時間が入力されるのを待つ（ステップＳ５）。切換時間が入力されなければ（ステップＳ５：ＮＯ）、前述した取消操作が行われたか否かを判定し（ステップＳ６）、取消操作が行われると（ステップＳ６：ＹＥＳ）、ステップＳ２に戻る（あるいは、ステップＳ３へ移ってもよい）。一方、リモコンＲの操作により切換時間が入力されると（ステップＳ５：ＹＥＳ）、入力された切換時間とメモリ１１に設定されているスリープタイマ時間との比較を行い（ステップＳ７）、入力された切換時間がスリープタイマ時間の範囲内か否かを判定する（ステップＳ８）。この判定の結果、入力された切換時間がスリープタイマ時間の範囲内でなければ（ステップＳ８：ＮＯ）、切換時間の入力に誤りがあると判断して、エラー処理を行う。エラー処理としては、例えば、「入力した時間に誤りがあります。設定したスリープタイマ時間内に収まるように時間を再入力して下さい。」というメッセージをＣＲＴ５の画面に表示する。
【００２９】
ステップＳ８での判定の結果、入力された切換時間がスリープタイマ時間の範囲内であれば（ステップＳ８：ＹＥＳ）、ステップＳ９へ進んで、再びチャンネルキー５２が押されたか否かを判定する。図６のように、スリープタイマ動作中で複数回のチャンネル切換を行う場合は、チャンネルキー５２が再度押されるので（ステップＳ９：ＹＥＳ）、ステップＳ４へ移って、図８Ａ（ｂ）のような新たな設定画面５ｂを表示する。そして、時間入力と取消操作の有無を判定し（ステップＳ５、Ｓ６）、次のチャンネルへの切換時間が入力されると（ステップＳ５：ＹＥＳ）、当該時間がスリープタイマ時間の範囲内か否かを判定し（ステップＳ７、Ｓ８）、スリープタイマ時間の範囲内でなければ（ステップＳ８：ＮＯ）、前述のエラー処理を行い、スリープタイマ時間の範囲内であれば（ステップＳ８：ＹＥＳ）、再びチャンネルキー５２が押されたか否かを判定する（ステップＳ９）。チャンネルキー５２が押されると（ステップＳ９：ＹＥＳ）、上述したステップＳ４〜Ｓ９を反復する。
【００３０】
また、ステップＳ９でチャンネルキー５２が押されない場合は（ステップＳ９：ＮＯ）、切換時間の設定が完了したか否かをリモコンＲの決定キー５３が押されたか否かにより判定し（ステップＳ１０）、設定が完了してなければ（ステップＳ１０：ＮＯ）、ステップＳ９へ戻って、再び、チャンネルキー５２が押されたか否かを判定する。チャンネルキー５２が押されると（ステップＳ９：ＹＥＳ）、ステップＳ４へ移って前述の手順を反復する。一方、ステップＳ９でチャンネルキー５２が押されないまま（ステップＳ９：ＮＯ）、ステップＳ１０で決定キー５３が押されて設定が完了すると（ステップＳ１０：ＹＥＳ）、ステップＳ１１へ移って、本発明によるスリープ動作（チャンネル切換）へ移る。なお、ステップＳ１０では、決定キー５３が押されたことに代えて、所定時間が経過したことを判定して設定を完了するようにしてもよい。
【００３１】
図１１は、上記ステップＳ１１の具体的な手順を示したフローチャートである。本発明のスリープ動作では、まず、タイマ１０の計数する時間がメモリ１１に設定された最初の切換時間に達したか否かが判定される（ステップＳ３１）。図６の場合、６ＣＨへ切り換わるまでの１０分が最初の切換時間に該当する。そして、最初の切換時間に達した時点で、マイコン８はチューナ２（図１）に指令を与えて、設定したチャンネルへの切換を行う（ステップＳ３２）。その後、タイマ１０の計数する時間がメモリ１１に設定された次の切換時間に達したか否かが判定される（ステップＳ３３）。図６の場合、８ＣＨへ切り換わるまでの３０分が次の切換時間に該当する。次の切換時間に達してなければ（ステップＳ３３：ＮＯ）、タイマ１０の計数する時間がメモリ１１に設定されたスリープタイマ時間に達したか否かを判定する（ステップＳ３４）。スリープタイマ時間にも達してなければ（ステップＳ３４：ＮＯ）、ステップＳ３３へ戻って、再び次の切換時間に達したか否かを判定し、達していれば次のチャンネルへの切換を行う（ステップＳ３２）。以下、同様にしてステップＳ３２〜Ｓ３４が反復される。そして、次の切換時間に至らないまま（ステップＳ３３：ＮＯ）、スリープタイマ時間に達すると（ステップＳ３４：ＹＥＳ）、マイコン８は電源制御回路９に指令を与えて、電源をオフさせる（ステップＳ３５）。
【００３２】
以上のようにして、上述した実施形態によれば、リモコンＲのスリープキー５１を所定回数だけ押してスリープタイマ時間を設定した後、一定時間（ｔ秒）以内にチャンネルキー５２を押すと、切換時間を設定するための設定画面５ａがＣＲＴ５の画面に表示される。そして、この設定画面５ａで、押したチャンネルキー５２に対応するチャンネルへ切り換えるまでの切換時間を設定すると、スリープタイマ時間が経過するまでの間、設定された切換時間に至った時点でチャンネルが自動的に切り換えられる。したがって、スリープタイマ動作中にチャンネルの切り換えをしたい場合でも、いちいち手動で切り換える必要がなく、設定画面５ａで設定した任意の時点でチャンネルを自動的に切り換えることができるので、視聴者は煩雑さと睡眠妨害から解放される。また、切り換えたいチャンネルに対応するチャンネルキー５２を押すだけで切換時間の設定画面５ａが表示されるので、操作がいたって簡単で分かりやすいという利点がある。
【００３３】
また、図６の実施形態では、設定画面５ａで切換時間を設定した後、他のチャンネルキー５２を押すと、当該他のチャンネルへ切り換えるまでの切換時間を設定するための新たな設定画面５ｂがＣＲＴ５に表示される。したがって、チャンネルキー５２を複数回操作して複数の切換時間を設定することで、スリープタイマ動作中に複数回のチャンネル切換を自動的に行うことができる。また、設定画面５ａ，５ｂにおいて設定された切換時間がスリープタイマ時間の範囲内であり（ステップＳ８：ＹＥＳ）、かつ、設定画面５ａ，５ｂでの切換時間の設定が完了した場合に（ステップＳ１０：ＹＥＳ）、スリープ動作へ移行し、設定された切換時間に至るたびにチャンネルを自動的に切り換えるようにしているので、チャンネルの切り換えは、必ず、設定したスリープタイマ時間の範囲内で行われ、スリープタイマ時間を超えてチャンネル切換が行われるような設定がされた場合（ステップＳ８：ＮＯ）には、警告を発することができる。
【００３４】
なお、図６のようにチャンネル切換を複数回行う場合、前記の例では、設定画面５ａ，５ｂで入力する切換時間は、時刻Ｔ１を基準とする時間であったが、これに代えて、チャンネルの切換時点から切換時点までの時間を入力するようにしてもよい。例えば、図６でＣＨ６からＣＨ８への切換時間を設定する場合、前記実施形態では時刻Ｔ１〜Ｔ４の間の３０分を入力するようにしたが、時刻Ｔ３〜Ｔ４の２０分を入力するようにしてもよい。この場合、マイコン８は、Ｔ１〜Ｔ３の１０分とＴ３〜Ｔ４の２０分とを加算して、Ｔ１〜Ｔ４の間の３０分を切換時間として設定する。
【００３５】
図１２は本発明の他の実施形態を説明するタイムチャート、図１３はチャンネル切換の設定画面の例を示す図である。図１２の例は、スリープタイマ時間を８０分に設定した後、３０分が経過した時点で現在視聴中の２ＣＨから６ＣＨに切り換え、６ＣＨの番組を２０分視聴した後に６ＣＨから８ＣＨに切り換え、８ＣＨの番組を１５分視聴した後に８ＣＨから１０ＣＨに切り換え、残りの１５分は１０ＣＨの番組を視聴し、スリープタイマ時間の８０分が経過した時点で電源が自動的にオフとなる例である。この実施形態の場合、リモコンＲのスリープキー５１を８回押した後、例えば決定キー５３を押すことで、図１３の設定画面５ｃがＣＲＴ５に表示される。この設定画面５ｃでは、複数の切換時間が設定できるようになっている。リモコンＲのチャンネルキー５２を用いて切換時間とチャンネルの入力を行い、最後に決定キー５３を押すと、設定が完了する。その後は、上述した図１２のシーケンスに従ってスリープタイマ動作が実行され、設定された切換時間に至るたびにチャンネルが自動的に切り換えられ、スリープタイマ時間の８０分が経過すると、電源が自動的にオフになる。
【００３６】
図１２の実施形態によれば、スリープタイマ時間の設定後にＣＲＴ５に表示される設定画面５ｃで切換時間を設定すると、スリープタイマ時間が経過するまでの間、設定された切換時間に至った時点でチャンネルが自動的に切り換えられる。したがって、スリープタイマ動作中にチャンネルの切り換えをしたい場合でも、いちいち手動で切り換える必要がなく、設定画面５ｃで設定した任意の時点でチャンネルを自動的に切り換えることができるので、視聴者は煩雑さと睡眠妨害から解放される。また、設定画面５ｃにおいて複数の切換時間の設定を一度に行えるので、複数回のチャンネル切換をしたい場合に有効である。
【００３７】
図１４は本発明の他の実施形態を説明するタイムチャート、図１５はチャンネル切換の設定画面の例を示す図である。図１４の例は、スリープタイマ時間を９０分に設定した後、３０分が経過した時点で現在視聴中の２ＣＨから６ＣＨに切り換え、６ＣＨの番組を２０分視聴した後に、視聴映像をテレビからＤＶＤの映像へ切り換え、残りの４０分はＤＶＤの映像を視聴し、スリープタイマ時間の９０分が経過した時点で電源が自動的にオフとなる例である。この実施形態の場合、リモコンＲのスリープキー５１を９回押した後、例えば決定キー５３を押すことで、図１５の設定画面５ｄがＣＲＴ５に表示される。この設定画面５ｄでは、チャンネルからチャンネルへの切換時間に加えて、ＤＶＤブロック２０（図１）にあらかじめセットされたＤＶＤ２１による映像再生へ切り換えるまでの切換時間を設定できるようになっている。切換時間とチャンネルはチャンネルキー５２を用いて入力し、文字のＤＶＤは、例えばチャンネルキー５２以外のキーを押すことで入力することができる。なお、設定画面５ｄにおいて、ＤＶＤ２１の再生したいタイトルやチャプターを設定できるようにしてもよい。これらの入力が完了し、最後に決定キー５３を押すと、設定が完了する。その後は、上述した図１４のシーケンスに従ってスリープタイマ動作が実行され、最初の切換時間に至るとチャンネルが自動的に切り換わり、次の切換時間に至るとテレビからＤＶＤの映像に自動的に切り換わり、スリープタイマ時間の９０分が経過すると、電源が自動的にオフになる。
【００３８】
図１４の実施形態によれば、チャンネルの切換時間に加えて、ＤＶＤによる映像再生への切換時間を設定画面５ｄで設定できるようにしたので、スリープタイマ動作中に、すべてのチャンネルの放送が終了するような場合でも、ＤＶＤの映像へ切り換えて視聴を継続することができる。なお、図１４の実施形態において、切換時間の設定は、図７、図８で述べた方法により行ってもよい。また、映像記録媒体として、ＤＶＤ２１に代えてビデオテープ３１を用いることができるのは言うまでもない。
【００３９】
本発明では、以上説明した以外にも種々の実施形態を採用することができる。例えば、前記実施形態では、モニタとしてＣＲＴ５を用いたテレビを例に挙げたが、本発明は液晶ディスプレイやプラズマディスプレイなどのモニタを用いたテレビにも適用することができる。また、前記実施形態では、ＤＶＤブロック２０とＶＣＲブロック３０を内蔵したコンボ型のテレビを例に挙げたが、本発明は単体のテレビにも適用することができる。また、前記実施形態では、スリープタイマ時間やチャンネル切換時間の設定をリモコンＲのキーを操作することで行ったが、テレビ本体の操作部１２に設けられているキーを操作することで設定を行ってもよい。さらに、本発明のチャンネル自動切換機能は、就寝時のスリープタイマ動作だけに限らず、任意の時間帯でオフタイマ動作を行う場合に適用が可能である。
【図面の簡単な説明】
【００４０】
【図１】本発明に係るテレビジョン装置の一例を示すブロック図である。
【図２】リモコンの一例を示した外観図である。
【図３】本発明の動作を説明するためのタイムチャートである。
【図４】リモコンにおけるキーシーケンスを示した図である。
【図５Ａ】設定画面の例である。
【図５Ｂ】設定画面の例である。
【図６】本発明の動作を説明するためのタイムチャートである。
【図７】リモコンにおけるキーシーケンスを示した図である。
【図８Ａ】設定画面の例である。
【図８Ｂ】設定画面の例である。
【図９】スリープタイマ動作の一連の手順を示したフローチャートである。
【図１０】図９のステップＳ３の具体的な手順を示したフローチャートである。
【図１１】図９のステップＳ１０の具体的な手順を示したフローチャートである。
【図１２】他の実施形態の動作を説明するためのタイムチャートである。
【図１３】設定画面の例である。
【図１４】他の実施形態の動作を説明するためのタイムチャートである。
【図１５】設定画面の例である。
【図１６】従来例の動作を説明するタイムチャートである。
【符号の説明】
【００４１】
２    チューナ
３    信号処理部
５    ＣＲＴ
５ａ，５ｂ，５ｃ，５ｄ  設定画面
７    スピーカ
８    マイクロコンピュータ
９    電源制御回路
１０  タイマ
１２  操作部
１３  リモコン受信部
２０  ＤＶＤブロック
２１  ＤＶＤ
３０  ＶＣＲブロック
３１  ビデオテープ
５１  スリープキー
５２  チャンネルキー
１００  テレビジョン装置
Ｒ  リモコン
【図１】
2006238389.tif 000003
【図２】
2006238389.tif 000004
【図３】
2006238389.tif 000005
【図４】
2006238389.tif 000006
【図５Ａ】
2006238389.tif 000007
【図５Ｂ】
2006238389.tif 000008
【図６】
2006238389.tif 000009
【図７】
2006238389.tif 000010
【図８Ａ】
2006238389.tif 000011
【図８Ｂ】
2006238389.tif 000012
【図９】
2006238389.tif 000013
【図１０】
2006238389.tif 000014
【図１１】
2006238389.tif 000015
【図１２】
2006238389.tif 000016
【図１３】
2006238389.tif 000017
【図１４】
2006238389.tif 000018
【図１５】
2006238389.tif 000019
【図１６】
2006238389.tif 000020